(57)【要約】【課題】  洗面器と建物排管を接続する連絡配管に勾配を設けることにより、配管内の残水を防止し、配管の詰まりを低減することを可能とする。  【解決手段】  本発明では、排出口を有する洗面器と、  前記洗面器の排出口に接続される横引き配管と、建物配管と、前記横引き配管と前記建物配管を接続する連絡配管と、を備え、前記連絡配管には差込嵌合構造を有する配管接続部を配すると共に、前記配管接続部は１／５０以上の勾配部に配置されることを特徴とする洗面器の排水管接続構造が提供される。【選択図】  図１
2011106205.tif 000002
【特許請求の範囲】
【請求項１】
排出口を有する洗面器と、
前記洗面器の排出口に接続される横引き配管と、
建物配管と、
前記横引き配管と前記建物配管を接続する連絡配管と、を備え、
前記連絡配管には差込嵌合構造を有する配管接続部を配すると共に、
前記配管接続部は１／５０以上の勾配部に配置されることを特徴とする洗面器の排水管接続構造
【請求項２】
前記横引き配管が１／５０以上の勾配を有することを特徴とする請求項１に記載の洗面器の排水管接続構造
【請求項３】
前記横引き配管が一本の排水管より構成されていることを特徴とする請求項１または２の何れか一項に記載の洗面器の排水管接続構造
【発明の詳細な説明】
【技術分野】
【０００１】
本発明は、洗面器の排水管接続構造に係り、とくに残水無く排水する排水管に関する発明である。 
【背景技術】
【０００２】
トイレルーム内などの壁面に取り付けられる洗面器（手洗器も含む）は建物配管と接続する必要がある。この接続は、洗面器の排水口を横引き配管と接続し、この横引き配管と建物の排水管を連絡配管によって接続することで実現される。このとき、現場で配管を切断して長さを調整するため、横引き配管と連絡配管は差込嵌合構造によって接続されるのが一般的である。
【０００３】
また、電気温水器や水石けんタンクなどをライニング内に収納し、左右いずれかに壁がある狭いトイレ内でも設置可能にするためには、洗面器の略真下にこれらの機器があり点検できる構造になっている必要があった。
そのため、排水管は前後方向の横引き配管と左右方向の横引き配管で形成される。これは、電気温水器や水石けんタンクなどが露出される場合にも同様に左右方向の横引き配管が必要とされる。
このような場合、差込嵌合構造を有する配管接続部に石けん水などの残水が生じ、この残水によってカビや細菌類が発生、洗面排水配管詰まりが発生するという課題が存在した。
【先行技術文献】
【特許文献】
【０００４】
【特許文献１】特開２００３−３２８４０６号公報
【発明の概要】
【発明が解決しようとする課題】
【０００５】
本発明は、上記問題を解決するためになされたもので、本発明の課題は、建物の排水管と洗面器を接続する差込嵌合構造を有する配管接続部内の残水を低減し、洗面排水配管の詰まりを低減することである。
【課題を解決するための手段】
【０００６】
上記目的を達成するために請求項１記載の発明によれば、排出口を有する洗面器と、  前記洗面器の排出口に接続される横引き配管と、建物配管と、前記横引き配管と前記建物配管を接続する連絡配管と、を備え、前記連絡配管には差込嵌合構造を有する配管接続部を配すると共に、前記配管接続部は１／５０以上の勾配部に配置されることを特徴とする洗面器の排水管接続構造が提供される。
これにより、連絡配管における残水の発生を低減し、洗面排水配管の詰まりを低減することが可能となる。
【０００７】
また、請求項２記載の発明によれば、前記横引き配管が１／５０以上の勾配を有することを特徴とする請求項１に記載の洗面器の排水管接続構造が提供される。
これにより、横引き配管における残水の発生を低減し、洗面排水配管の詰まりを低減することが可能となる。
【０００８】
また、請求項３記載の発明によれば、前記横引き排水路が一本の排水管より構成されていることを特徴とする請求項１または２の何れか一項に記載の洗面器の排水管接続構造が提供される。
これにより、横引き配管内に接続部などの段差がなくなることから、残水を低減し、洗面排水配管の詰まりを低減することが可能となる。
【発明の効果】
【０００９】
本発明によれば、建物の排水管と洗面器を接続する差込嵌合構造を有する配管接続部内の残水を低減し、洗面排水配管の詰まりの原因となるカビ類の発生を防止するという効果がある。
【図面の簡単な説明】
【００１０】
【図１】本発明の実施例における洗面器１の正面図。
【図２】本発明の実施例における洗面器１の側面図。
【図３】本発明の実施例における洗面器１の排水管付近の正面図。
【図４】本発明の実施例における洗面器１の排水管付近の側面図。
【図５】本発明の実施例における差込嵌合構造８の詳細図。
【発明を実施するための形態】
【００１１】
本発明の実施例について、以下に図を用いて説明する。
図１は本発明の実施例における洗面器１の正面図である。図２は側面図である。
洗面器１はライニング７に取り付けて使用され、洗面器１は手洗用の水栓２を備えている。
洗面器１の排水口（図示せず）には接続リング３によって、横引き配管４が接続されている。この横引き配管４は略水平あるいは勾配がついており、ライニングの表面と直行する方向、壁面の内部方向へと伸長されている。
【００１２】
ライニング７の内部には、電気温水器７aや水石けんタンク７ｂが収納されており、これらの機器をよける形で排水管５を備え、建物の排水管（図示せず）と接続されたトラップ６を備えている。このとき、建物の排水管は床排水でも壁排水でもかまわない。電気温水器７aや水石けんタンク７ｂについても、これら以外の機器でもかまわないし、機器自体をなくして、収納として活用することも考えられる。
【００１３】
本発明の実施例における洗面器１の排水管近辺について、図３に正面図を、図４に側面図を示す。
横引き配管４とトラップ６は連絡配管５によって接続されている。このとき、横引き配管４と連絡配管５は差込嵌合構造８によって接続されている。また、連絡配管５は勾配をもつ。
【００１４】
差込嵌合構造８の詳細を図５に示す。
連絡配管５は、横引き配管４と接続される端部に、連絡配管５本体より径の広がった差込部９をもっている。また、差込部９の先端部にはゴムリング１０が取り付けられる。
連絡配管５の差込部９に横引き配管４の先端を内挿するが、このときゴムリング１０を袋ナット１１によって押しつぶすことにより横引き配管４を保持し、連絡配管５と横引き配管４を水密に接続することができる。
【００１５】
本発明の実施例１〜４と比較例の残水量を比較したものを表１に示す。
残水量は、乾燥した排水管に一定量の水（３００ｍｌ）を流した場合と、一定量の石鹸水（水石鹸原液３ｇを水に溶かして３００ｍｌとした）を流した場合において、横引き配管４および連絡配管５内を通って、流出した水、石鹸水の量を計測し、その差を計算により求めた。なお、流出した水、石鹸水の量は、配管内に流入後、約一分後に水の流出が停止した状態で計測を行った。
この結果より、横引き配管４、連絡配管５ともに勾配が付いているほど残水が少なくなることがわかる。
【００１６】
また、横引き配管４が一定の勾配である実施例１、２と比較例２の水の残水量を比較すると、連絡配管５に勾配がない比較例２と連絡配管５が１／５０の勾配をもつ実施例１の間では大きく残水量が減少しているのに対して、実施例１と連絡配管５が１／２の勾配をもつ実施例２の間ではわずかに減少するに留まっていることが見て取れる。このことから、連絡配管５は特に１／５０以上の勾配とすることで効果的に水の残水を防止することができることが分かる。
また、実施例のようにライニング７内に連絡配管５を収容する場合、連絡配管５に勾配を持たせることによって、水平とした場合と比較して同じ長さの配管であっても少ない幅に収容することが可能となる。また、ライニング７のなかに収めつつ、曲げ角度を抑制し、曲げ半径を大きくとることができるようになり、結果として配管内での排水流速を上昇させ、排水性能を向上させることができる。
【００１７】
次に、連絡配管５が一定の勾配である実施例２、３を比較すると、水・石鹸水ともに残水量が減少し、とくに水の残水量が半減していることが分かる。これにより、横引き配管４の勾配が配管内の残水量を減少させることに効果があることが分かる。
【００１８】
また、横引き配管４・連絡配管５ともに勾配が等しい実施例２と実施例４を比較すると、水・石鹸水ともに残水量が減少し、とくに特に石鹸水の残水量が大きく減少していることが分かる。
これは、実施例２においては、横引き配管４が２分割されており、差込嵌合構造８同様の構造により差込嵌合されているのに対して、実施例４においては横引き配管４が一本の配管により構成されていることに起因していると考えられる。つまり、実施例２の横引き配管４においては差込嵌合による段差が発生しているため、この段差部分に残水が多く発生するが、実施例４のような一体構造であればこれを低減することが可能となる。
つまり、横引き配管４を一本の配管により構成することにより、石鹸水のような粘度をもった液体の残水を防止することが可能となる。
また、横引き配管４を複数に分割・接続した場合と比較して、施工手順が簡略化でき、接続箇所からの漏水リスクも低減することが可能となる。
【００１９】
なお、本発明は実施例に限られるものではなく、本発明を逸脱しない範囲において自由に設計変更することが可能である。例えば、洗面器の形は実施例で説明した以外にもさまざまな形状・サイズを選ぶことができる。また、洗面器の代わりに手洗器としてもよい。配管の途中に設けるトラップについても、実施例ではＳ字トラップを採用したが、ボトルトラップなどそのほかのトラップを採用してもよい。また、建物配管側に十分な臭気・防虫対策が行われている場合にはトラップそのものを設けなくともよい。
【００２０】
【表１】
2011106205.tif 000003
【符号の説明】
【００２１】
１…洗面器
２…水栓
３…接続リング
４…横引き配管
５…連絡配管
６…トラップ
７…ライニング
７ａ…電気温水器
７ｂ…水石けんタンク
８…差込嵌合構造
９…差込部
１０…ゴムリング
１１…袋ナット
【図１】
2011106205.tif 000004
【図２】
2011106205.tif 000005
【図３】
2011106205.tif 000006
【図４】
2011106205.tif 000007
【図５】
2011106205.tif 000008